(57)【要約】  本発明は、水中の固体汚染物質をフィルタする灌漑システムで使用される水転送、ディスク洗浄およびフィルタ封止のシステムの改良に関する。本体と容器の間のシーリングであるシールとＯ−リングの別個の使用により水漏れが防がれる。別の問題は固定導水装置の設計により解決している。上部キャップのスクリューを外す際にディスクが軸から外れるのを防ぐためのキャップを設計し、可動キャップとディスクホルダの内径寸法を同じにすることによりディスク洗浄を容易にした。
2013500156.tif 000002
【特許請求の範囲】
【請求項１】
Ｏリング(7.1)取付スペースを設けられる容器(1)、セグメント(2.1)のあるスクリュー(2)、キャップ(3)、ツイスタ(6)、シール(7.2)取付スペースを設けられる本体(7)から成ることを特徴とする、灌漑システムで使用するプラスチックフィルタ。
【請求項２】
ディスクホルダ(4)に留められる安定した（固定式の）パーツであることを特徴とする請求項１に記載のツイスタ(6)。
【請求項３】
ディスクホルダ(4)の高さまで延びるパーツであり、ディスクホルダ(4)のスクリュー(2)を外すことにより延びるパーツであることを特徴とする請求項１に記載のキャップ(3)。
【発明の詳細な説明】
【技術分野】
【０００１】
本発明は、水中の固体汚染物質をフィルタする灌漑システムで使用される水転送、ディスク洗浄およびフィルタ封止のシステムの改良に関する。
【先行技術文献】
【特許文献】
【０００２】
【特許文献１】国際公開ＷＯ２００７／０４１１１５号公報
【発明の開示】
【発明が解決しようとする課題】
【０００３】
水は、生活のニーズを満たすための最重要要素である。限られた水資源を最も効率的な方法で使用することは、ますます重要な課題となっている。農業の分野において、不適切な灌漑は多くの農作業の効率に支障を来す結果となる。灌漑の効率を最適化するためには、水を無駄なく目標に供給しなければならない。この目的で、封止要素の改良が図られている。一例としてのフィルタ本体と容器の間の封止は、どうしても水漏れが発生する結果となる。圧力に対するシールの封止が不十分となるため好適な圧力を達成できず、非効率となり目標の灌漑を実現できない。また、水と電力の利用およびエネルギー損失は、政府にとっても大きな負担となっている。
【０００４】
別の問題としては、固体汚染物の除去というフィルタの主な機能を保守するため、汚染物質（異物）を沈下（沈殿、安定）させる作業の際にディスクを洗浄しなければならないことを挙げられる。この作業では、導水装置が使用される。従来技術により製造されるフィルタ内の導水装置は圧力で回転して導水するが、固定されておらず螺旋導水の機能がない。フィルタを通じて直接導水されるためディスクはすぐに一杯になり、結果としてディスクは十分に機能しなくなる。このためオペレータによる作業が必要となる。オペレータが作業しないと圧力が低下して導水量が減少することとなる。このため、灌漑の効率も低下する。フィルタ洗浄では、オペレータがスクリューを外し、ディスクを上下に動かし、上部キャップを開けるという作業が伴う。従来技術のディスクは上部キャップのスクリュー中心（本体）がディスクホルダ内径より狭いためディスクが軸から外れ、オペレータの作業が大変になる。このような欠点に加え洗浄条件が厳しくなると作業はますます困難になり、作業を適切かつ円滑に進めることは不可能となる。そして、多大な時間や労力が浪費される結果となる。
【課題を解決するための手段】
【０００５】
弊社専門家が従来技術の欠点を考慮して研究を重ねることにより開発したフィルタでは、本体と容器の間の封止のためにシールとＯリングを別個に使用することにより水漏れを防止する。別の問題も、固定導水装置の設計により解決している。上部キャップのスクリューを外す際にディスクが軸から外れるのを防ぐためのキャップを設計し、可動キャップとディスクホルダの内径寸法を同じにすることによりディスク洗浄を容易にした。
【図面の簡単な説明】
【０００６】
【図１】組立図
【図２】分解図
【図３】スパイラルミキサー（ツイスタ）
【図４】キャップ
【図５】容器
【図６】ディスクホルダ
【図７】本体
【図８】スクリュー
【図９】ナット
【発明を実施するための形態】
【０００７】
本発明は、容器(1)、セグメント(2.1)を含有するスクリュー(2)、キャップ(3)、ディスクホルダ(4)、ディスク(5)、ツイスタ(6)、ナット(8)およびＯリング(7.1)とシール(7.2)を含有する本体(7)から成る。フィルタを組み立てるためには、まずシール(7.2)とＯリング(7.1)を本体封止チャネルに取り付けた後にナットを取り付ける。次に、ツイスタ(6)をディスクホルダ(4)に取り付け、フィルタ動作中にフィルタ対象の固体汚染物質が入るディスク(5)をディスクホルダ(4)に取り付け、ディスク(5)の後でキャップ(3)を取り付けてスクリュー(2)で留め、組立が完了する。その後、容器(1)に本体(7)を入れ、フィルタは準備完了となる。容器(1)と本体(7)の間の部分が段階的封止装置として働き、Ｏリング(7.1)とシール(7.2)が一緒に使用され得るチャネルが形成される。Ｏリング(7.1)とシール(7.2)は別個にこれらのチャネルに配置され、水漏れを防ぐ。水はフィルタに入ると、まず水入口真上のディスクホルダ(4)に取り付けられたツイスタ(6)にぶつかる。ツイスタ(6)は水を螺旋状にしてディスク(5)へ送り、ディスク(5)が異物を保持し、異物は水の螺旋状の移動により沈下する。フィルタを洗浄するためには、スクリュー(2)を外してディスクホルダ(4)に取り付けられたキャップ(3)を上方にスライドさせると、ディスク(5)は横に移動することなく簡単に移動する。このようにしてオペレータは簡単に洗浄を済ませ、速やかにフィルタ操作に移ることができる。
【符号の説明】
【０００８】
１  容器
２  スクリュー
２．１  セグメント
３  キャップ
４  ディスクホルダ
５  ディスク
６  ツイスタ
７  本体
７．１  Ｏリング
７．２  シール
８  ナット
【図１】
2013500156.tif 000003
【図２】
2013500156.tif 000004
【図３】
2013500156.tif 000005
【図４】
2013500156.tif 000006
【図５】
2013500156.tif 000007
【図６】
2013500156.tif 000008
【図７】
2013500156.tif 000009
【図８】
2013500156.tif 000010
【図９】
2013500156.tif 000011
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
ゴム製Ｏリング(7.1)取付スペースを設けられる容器(1)、プラスチックのセグメント(2.1)のあるプラスチックのスクリュー(2)、３本脚のキャップ(3)、プラスチックのディスクホルダー(4)、プラスチックのツイスタ(6)、ゴム製のシール(7.2)取付スペースを設けられるプラスチックの本体(7)から成ることを特徴とする、灌漑システムで使用するプラスチックフィルタ。
【請求項２】
導水の間、左右にプラスチックのフィルター(6)が左右に回転することを防ぎ、螺旋状の水流を得る溜めにプラスチックのフィルター(6)の３つの溝の１つを介してプラスチックのディスクホルダー (4)に固定されるパーツであることを特徴とする請求項１に記載のツイスタ(6)。
【請求項３】
プラスチックのディスクホルダ(4)のスクリュー(2)を外すことにより延びるパーツであり、プラスチックのディスクホルダ(4)と同じサイズでプラスチックのディスクホルダ(4)の上にあることを特徴とする請求項１に記載のプラスチックのキャップ(3)。
【請求項４】
プラスチックのディスク(5)の固体粒子の洗浄の間、プラスチックのスクリュー(2)のセグメント溝に納めることでプラスチックのスクリュー(2)とプラスチックのキャップ(3)を一緒に固定することを介して、プラスチックのディスク(5)がプラスチックのスクリュー(2)とプラスチックのディスクホルダー(4)の間に落ちることを防ぐことを特徴とする請求項１のプラスチックのセグメント(2.1)。
【請求項５】
Ｏ−リングを配置するスペースを有するプラスチックの容器(1)の上に在り、プラスチックの本体(7)とプラスチックの容器(1)の間のシーリングを提供することを特徴とする請求項１のゴム製のＯ−リング（7.1)。
【国際調査報告】
2013500156.tif 000012
2013500156.tif 000013